(57)【要約】【課題】  撮影感度を変更可能な撮像装置において、変更した感度を戻し忘れることを抑制することのできる撮像装置を提供する。【解決手段】  感度設定時に、設定した感度の有効期間を、例えば開始日時（Ｓ１３３）、終了日時（Ｓ１３４）を指定することにより設定できるようにする。そして、有効期間が経過した場合には、例えばその時点で設定されている撮影感度をユーザに通知し、確認を求める。これにより、ユーザは現在の感度設定値を把握できるほか、必要であれば感度を戻すことができる。【選択図】  図４
2008294972.tif 000002
【特許請求の範囲】
【請求項１】
撮像素子を用いて被写体像を電気信号に変換して記録する撮像装置において、
ユーザが指定した撮影感度とその有効期間を取得する手段と、
前記有効期間が経過したか否かを判定する手段と、
前記有効期間が経過した場合、現在設定されている撮影感度をユーザに報知する手段とを有することを特徴とする撮像装置。
【請求項２】
撮像素子を用いて被写体像を電気信号に変換して記録する撮像装置において、
ユーザが指定した撮影感度とその有効期間を取得する手段と、
前記有効期間が経過したか否かを判定する手段と、
前記有効期間が経過した場合、撮影感度を予め設定されている感度へ変更する手段とを有することを特徴とする撮像装置。
【請求項３】
撮影感度を自動設定する感度自動モードが設定されている場合、前記ユーザが指定した撮影感度の有効期間中は一時的に前記感度自動モードを解除し、前記有効期間が経過したら前記感度自動モードに復帰させる手段をさらに有することを特徴とする請求項１又は請求項２記載の撮像装置。
【請求項４】
撮影感度を自動設定する感度自動モードが設定されている場合、前記ユーザが指定した撮影感度の有効期間中は前記ユーザが指定した撮影感度を上限値として前記撮影感度の自動設定を行い、前記有効期間が経過したら前記上限値を解除した前記撮影感度の自動設定を行う手段をさらに有することを特徴とする請求項１又は請求項２記載の撮像装置。
【請求項５】
前記ユーザが指定した撮影感度の有効期間が経過した時点の日時情報を取得する手段と、
前記日時情報に応じて、前記感度自動モードにおける初期感度を設定する手段とをさらに有することを特徴とする請求項３又は請求項４記載の撮像装置。
【請求項６】
撮像素子を用いて被写体像を電気信号に変換して記録する撮像装置の制御方法において、
ユーザが指定した撮影感度とその有効期間を取得するステップと、
前記有効期間が経過したか否かを判定するステップと、
前記有効期間が経過した場合、現在設定されている撮影感度をユーザに報知するステップとを有することを特徴とする撮像装置の制御方法。
【請求項７】
撮像素子を用いて被写体像を電気信号に変換して記録する撮像装置の制御方法において、
ユーザが指定した撮影感度とその有効期間を取得するステップと、
前記有効期間が経過したか否かを判定するステップと、
前記有効期間が経過した場合、撮影感度を予め設定されている感度へ変更するステップとを有することを特徴とする撮像装置の制御方法。
【発明の詳細な説明】
【技術分野】
【０００１】
本発明は、撮像装置及びその制御方法に関し、特には撮影感度を変更可能な撮像装置及びその制御方法に関する。
【背景技術】
【０００２】
近年、撮影光学系によって結像された被写体像をＣＣＤイメージセンサやＣＭＯＳイメージセンサ等の撮像素子を利用して映像信号に変換し、記録媒体等に記録するように構成されたデジタルカメラが広く普及している。
【０００３】
デジタルカメラがフィルムを用いる所謂銀塩カメラに対して優位な点の一つに、感度を変更が容易な点がある。銀塩カメラの場合、感度はフィルムに依存するため、感度の変更にはフィルム交換が必要であり、例えば１枚撮影する毎に感度を変更するといったことは現実的でなかった。従って、明るさの異なる被写体に対して適正露出を得るためには、シャッタースピードと絞り値の組み合わせを変える必要があった。
【０００４】
しかし、デジタルカメラでは、撮像素子や画像処理回路のゲインを変更することにより感度を変更することができるため、例えば１枚ずつ感度を変更するしながら撮影することも容易である。そのため、シャッタースピードと絞り値を一定とし、感度を変えることにより異なる明るさの被写体を適正露出で撮影することも可能であり、銀塩カメラに比べて撮影表現の選択肢が多い。
【０００５】
このような利点を活かし、被写体の明るさに応じて感度を自動的に変更するデジタルカメラが存在する（特許文献１参照）。特許文献１に記載のデジタルカメラは、被写体輝度が低い場合、より早いシャッタースピードで撮影を行えるように感度を自動的に上げて、手ブレの発生を抑制している。
【０００６】
感度の設定は撮影結果に影響を与えるため、感度の設定値をユーザが把握できるようにすることが好ましい。そのため、感度の設定値を、撮像装置が有する表示装置に表示することが従来行われている。
【０００７】
しかし、撮像装置において感度表示に用いられる表示装置は、装置の大型化やコストアップを避けるため、一般に小さく、また解像度も高くないものが多い。一方で表示すべき情報は感度以外にも数多く存在するため、ユーザにわかりやすく表示を行うことは容易でない。
【０００８】
このような背景から、撮像装置の表示装置に感度を効率良く表示するための方法として、同一表示領域を電源オン時にはフィルムカウント値の表示に、電源オフ時には感度表示に利用する方法が提案されている（特許文献２参照）。
【０００９】
【特許文献１】特開２００５−２９２７４０号公報（第３頁、図２）
【特許文献２】特開平９−１４６１５９号公報（第２頁、図９）
【発明の開示】
【発明が解決しようとする課題】
【００１０】
デジタルカメラでは感度が簡単に変更ができるが、その一方で、一時的に設定した感度を元に戻し忘れてしまうことが起こりうる。感度は撮影結果に影響を与えるため、意図しない感度で撮影した場合には撮影結果も撮影者の意図しないものとなりうる。
【００１１】
特許文献２記載のデジタルカメラの場合、電源オン時には設定されている感度が表示されないので、このような設定ミスを回避できない。
【００１２】
また、特許文献１記載のデジタルカメラの場合、ユーザが意図しない高感度が自動設定されることを防止するため、自動変更により設定される感度の上限値を設定可能としている。しかし、上限値を一時的に低く設定した後、その設定を戻し忘れた場合、手振れ防止効果が十分得られないままになってしまう。
【００１３】
本発明はこのような従来技術の課題を少なくとも１つ以上について改善することを目的としたものである。
【課題を解決するための手段】
【００１４】
上述の目的は、撮像素子を用いて被写体像を電気信号に変換して記録する撮像装置において、ユーザが指定した撮影感度とその有効期間を取得する手段と、有効期間が経過したか否かを判定する手段と、有効期間が経過した場合、現在設定されている撮影感度をユーザに報知する手段とを有することを特徴とする撮像装置によって達成される。
【００１５】
また、本発明の別の要旨は、撮像素子を用いて被写体像を電気信号に変換して記録する撮像装置において、ユーザが指定した撮影感度とその有効期間を取得する手段と、有効期間が経過したか否かを判定する手段と、有効期間が経過した場合、撮影感度を予め設定されている感度へ変更する手段とを有することを特徴とする撮像装置によっても達成される。
【００１６】
また、上述の目的は、撮像素子を用いて被写体像を電気信号に変換して記録する撮像装置の制御方法において、ユーザが指定した撮影感度とその有効期間を取得するステップと、有効期間が経過したか否かを判定するステップと、有効期間が経過した場合、現在設定されている撮影感度をユーザに報知するステップとを有することを特徴とする撮像装置の制御方法によっても達成される。
【００１７】
また、上述の目的は、撮像素子を用いて被写体像を電気信号に変換して記録する撮像装置の制御方法において、ユーザが指定した撮影感度とその有効期間を取得するステップと、有効期間が経過したか否かを判定するステップと、有効期間が経過した場合、撮影感度を予め設定されている感度へ変更するステップとを有することを特徴とする撮像装置の制御方法によっても達成される。
【発明の効果】
【００１８】
このような構成により、本発明の撮像装置及びその制御方法によれば、ユーザが一時的に設定した撮影感度の戻し忘れを抑制できる。
【発明を実施するための最良の形態】
【００１９】
（第１の実施形態）
以下、添付図面を参照して、本発明を例示的な実施形態に基づき詳細に説明する。
図１は、本発明の第１の実施形態に係る撮像装置の一例としてのデジタル一眼レフカメラ（ＳＬＲカメラ）の機械的な構成例を示す概略断面図である。本実施形態において、撮影感度は一般に用いられるＩＳＯ標準出力感度であるものとし、感度設定はＩＳＯ感度の値を設定することにより行われるものとする。
【００２０】
ＳＬＲカメラ１００は、カメラ本体１と交換可能な撮影レンズ３とから構成される。撮影レンズ３は内部にフォーカスレンズ群やズームレンズ群を有し、カメラ本体１に設けられたマウント２に装着される。なお、図１ではこれらレンズ群を便宜上それぞれ１枚のレンズのように表しているが、実際には多数のレンズの組み合わせで構成されている。マウント２は、撮影レンズ３とカメラ本体１との間で各種信号を通信したり、レンズの駆動電源を供給したりするためのインターフェイス部（図示せず）を有する。
【００２１】
ハーフミラーで構成された主ミラー４は、ＳＬＲカメラ１００の動作状態に応じて回動可能である。被写体を光学ファインダー１９で観察する時は図１に示すように撮影光路へ斜設され、撮影レンズ３からの光束の一部を反射して後述のファインダー光学系へ導く。また、撮影時は上方に回動して撮影光路から退避し、撮影レンズ３からの光束を後述の撮像素子７へ導く。
【００２２】
サブミラー５もまたハーフミラーで構成され、主ミラー４とともに回動する。主ミラー４が撮影光路へ斜設されている図１の状態において、主ミラー４を透過して入射した光束を、後述のＡＦセンサ８に至る光束と後述の撮像素子７へ至る光束とに分割する。
【００２３】
撮像素子７はＣＣＤイメージセンサやＣＭＯＳイメージセンサ等であり、撮影レンズ３が結像する被写体像を電気信号に変換する。撮像素子７の撮影レンズ３側の近傍にはシャッター６が配置されている。ＡＦセンサ８は、２次結像レンズや複数のＣＣＤからなるエリアセンサ等から構成されており、周知の位相差方式により焦点検出を行う。
【００２４】
ピント板９は撮影レンズ３の一次結像面に配置され、入射面（図における下面）にはフレネルレンズ（集光レンズ）が設けられ、射出面（図における上面）に被写体像（ファインダー像）が結像する。１０はファインダー視野領域を形成するファインダー視野枠、１１はファインダー光路変更用のペンタプリズムであり、ピント板９の射出面に結像した被写体像を正立正像に補正する。１２、１３は接眼レンズである。ここで、ピント板９、ペンタプリズム１１、接眼レンズ１２、１３により構成される光学系をファインダー光学系と称する。ユーザは、光学ファインダー１９を覗いてファインダー像を観察することができる。
【００２５】
ＡＥセンサ１４は、多分割された撮影画面内の各領域に対応したフォトダイオードから構成され、ピント板９の射出面に結像した被写体像の、領域毎の輝度を測定する。
【００２６】
１５はＬＣＤ照明用のＬＥＤ、１６はファインダー内表示用のＬＣＤ、１７は三角プリズムである。ＬＥＤ１５から出射し、ＬＣＤ１６を透過した光束は、三角プリズム１７によりファインダー視野外に導かれる。これにより撮影者は光学ファインダー１９を観察した際に各種の撮影情報を目視することができる。
液晶モニタ１８は、撮影した画像や各種の撮影情報の表示などに用いられる。
【００２７】
図２は図１の構成のデジタル一眼レフカメラ１００の電気的な構成例を示すブロック図であり、図１と同一の構成には同一の参照数字を付与している。
マイクロコンピュータ（中央処理装置；以下、ＭＰＵと記す）５０は、図示しないＲＯＭに格納された制御プログラムを実行してカメラ全体の制御を行う。メモリコントローラ５１は、画像データの各種制御を行う。ＥＥＰＲＯＭ５２は、各種制御を行うための設定値や、調整データ等を格納する不揮発性記憶装置である。後述する設定画面などのＧＵＩデータなどもＥＥＰＲＯＭ５２に記憶しておくことができる。
【００２８】
レンズ制御回路５３は撮影レンズ３内に設けられ、マウント２を介してカメラ本体１内のＭＰＵ５０と通信可能に接続される。レンズ制御回路５３は、後述の各情報に基づいて撮影レンズ３が有するフォーカスレンズ群の焦点調節（合焦駆動）や絞り駆動を行う。
【００２９】
焦点検出回路５４は、ＡＦセンサ８が有するエリアセンサの蓄積制御と読み出し制御を行い、各測距点の画素情報をＭＰＵ５０に出力する。ＭＰＵ５０は各測距点の画素情報から周知の位相差検出法による焦点検出を行い、検出した焦点検出情報をレンズ制御回路５３へ送出してフォーカスレンズの焦点調節を行わせる。この、焦点検出から焦点調節までの一連の動作をオートフォーカス（以下、ＡＦと記す）動作と称する。
【００３０】
測光回路５５は、ＡＥセンサ１４の各領域からの輝度信号をＭＰＵ５０に出力する。ＭＰＵ５０は、輝度信号をＡ／Ｄ変換して被写体の測光情報とし、この測光情報を用いて撮影露出の調整を行う。またこの測光情報を得る動作をＡＥ動作と称する。
【００３１】
モータ駆動回路５６であり、主ミラー４を駆動するモータや、シャッター６のチャージを行うモータを制御する。
シャッター駆動回路５７は、シャッター６の先幕を走行させるマグネットと後幕を走行させるマグネットを、撮像素子７が所定量露光するように制御する。
【００３２】
表示駆動回路５８は、表示内容に応じたＬＣＤ１６の制御とＬＥＤ１５の点灯、点滅制御を行い、ファインダー内にシャッタースピード（Ｔｖ）、絞り値（Ａｖ）、撮影可能枚数等の撮影情報を表示させる。
５９はＭＯＤＥボタンであり、押下したまま電子ダイヤル６１を操作すると、操作に応じて撮影モードが変更され、操作を止めるとその時点の撮影モードに決定される。
【００３３】
レリーズボタン６０は、２つのスイッチＳＷ１，ＳＷ２を有する。ＳＷ１はレリーズボタン６０の第１ストローク（半押し）操作でＯＮし、測光（ＡＥ）、ＡＦ動作を開始させる。ＳＷ２はレリーズボタン６０の第２ストローク（全押し）操作でＯＮし、露光動作を開始させる。ＳＷ１、ＳＷ２のＯＮ，ＯＦＦ状態はＭＰＵ５０へ出力される。
【００３４】
電子ダイヤル６１は、各種の設定、数値、データ等を選択するためのユーザインタフェースである。電子ダイヤル６１の回転クリックに応じたＯＮ信号がＭＰＵ５０内の不図示のアップダウンカウンタに出力され、回転クリック数がカウントされる。このカウントに応じた値が選択される。
ＳＥＴボタン６２は、電子ダイヤル６１の操作により選択状態にある数値やデータ等を決定する際にユーザが操作する。
【００３５】
６３はＩＳＯ感度ボタンであり、撮像素子７或いは後述の画像処理回路７４におけるゲイン（感度）の設定を変更する際にユーザが用いる。ＩＳＯ感度ボタン６３が押下された状態で電子ダイヤル６１が操作されると、そのカウントに応じてゲインを変更し、ＳＥＴボタン６２が押下されると、その時点でのゲインが設定される。実際には、ゲインの増減はユーザからはＩＳＯ感度の増減として指示される。また、後述するように、本実施形態のＳＬＲカメラ１００では、ＩＳＯ感度の設定に続き、設定したＩＳＯ感度の有効期間を設定できる。
【００３６】
６４は記録画質ボタンであり、撮影された画像データを記録媒体７８に記録する際のフォーマットと画質を設定する際にユーザが用いる。記録画質ボタン６４が押下された状態で電子ダイヤル６１が操作されると、そのカウントに応じて記録時の画像フォーマットと画質（圧縮率など）の設定値が変更される。そして、ＳＥＴボタン６２が押下された時点での設定値が最終的に設定される。
【００３７】
電源ボタン６５は、ＳＬＲカメラ１００の電源がＯＮ／ＯＦＦするためのボタンである。
６６は電源６７の電圧を各回路に必要な電圧に変換するＤＣ/ＤＣコンバータである。
６８は時計回路で、日付および時刻をカウントする。現在の日付および時刻は、予めカメラ製造時に設定されている。日付及び時刻を日時情報という。
【００３８】
ＣＤＳ（相関２重サンプリング）／ＡＧＣ（自動ゲイン調整）回路７０は撮像素子７が出力される電気信号（画像信号）をサンプルホールド及び自動ゲイン調整する。Ａ／Ｄ変換器７１はＣＤＳ／ＡＧＣ回路７０のアナログ出力をデジタル信号に変換する。ＴＧ（タイミング発生）回路７２は、撮像素子７に駆動信号を、ＣＤＳ／ＡＧＣ回路７０にサンプルホールド信号を、Ａ／Ｄ変換器７１にサンプルクロック信号を供給する。ここで、撮像素子７から出力される画像信号を、ＣＤＳ／ＡＧＣ回路７０、Ａ／Ｄ変換器７１を経てメモリコントローラ５１が受けることにより、コントラスト検出方式による被写体像の焦点検出を行うことが可能である。
【００３９】
ＳＤＲＡＭ７３はＡ／Ｄ変換器７１でデジタル変換された画像等を一時的に記録する。画像処理回路７４は、画像にＹ／Ｃ（輝度信号／色差信号）分離、ホワイトバランス補正、γ補正等の画像処理を行う。画像圧縮／伸張回路７５は画像をＪＰＥＧ等の形式に従って圧縮したり、圧縮された画像の伸張を行う。
【００４０】
Ｄ／Ａ変換器７６は、ＳＤＲＡＭ７３や記録媒体７８に記録された画像を液晶モニタ１８に表示するために、アナログ信号に変換する。７７は、画像を記録保存するための記録媒体７８とのＩ／Ｆ（インターフェイス）である。
【００４１】
図４は本実施形態のＳＬＲカメラ１００における感度の設定処理を説明するフローチャートである。
Ｓ１３１で、ＭＰＵ５０が、ＩＳＯ感度ボタン６３がＯＮになったことを検出したとする。すると、ＭＰＵ５０は、液晶モニタ１８や不図示のカメラ外部に設けられた情報表示ＬＣＤ等に、ＩＳＯ感度設定画面や、選択中のＩＳＯ感度値を表示させる。
【００４２】
Ｓ１３２で、電子ダイヤル６１が操作されると、ＭＰＵ５０は、Ｓ１３１でＩＳＯ感度ボタン６３がＯＮされていることに基づき、表示中のＩＳＯ感度値を電子ダイヤル６１の操作に応じて変化させる。
【００４３】
そして、ＳＥＴボタン６２が操作されると、ＭＰＵ５０は、その時点で表示されている（選択中）のＩＳＯ感度値を設定感度として決定する。そして、ＭＰＵ５０は、設定感度に応じて撮像素子７や画像処理回路７４におけるゲインの設定を変更する。ゲインの設定値は例えばＳＤＲＡＭ７３やＥＥＰＲＯＭ５２に記憶しておいても良い。
【００４４】
図１２は、液晶モニタ１８に表示するＩＳＯ感度設定画面（ＧＵＩ：グラフィカルユーザインタフェース）の例を示す図である。上述の通り、Ｓ１３１でＩＳＯ感度ボタン６３のＯＮをＭＰＵ５０が検出することによって表示される。この状態で電子ダイヤル６１を操作するとＩＳＯ感度の表示１１１が変更（電子ダイヤル６１の回転方向に応じてＩＳＯ感度値が増減）する。所望のＩＳＯ感度が表示された状態でＳＥＴボタン６２を操作すると、そのＩＳＯ感度に設定される。
【００４５】
ＳＥＴボタン６２の押下によりＩＳＯ感度の設定が行われると、ＭＰＵ５０は、次にＩＳＯ感度の有効期間をユーザに設定させる。具体的には、例えば、液晶モニタ１８に有効期間設定画面を表示させる。ここでは、一例として、有効期間の開始日時と終了日時とを別の画面で設定させる場合の有効期間設定画面を、図１３（ａ）及び図１３（ｂ）に示す。
【００４６】
すなわち、ＭＰＵ５０は、Ｓ１３２においてＳＥＴボタン６２の押下を検出し、ＩＳＯ感度の設定がなされると、例えば図１３（ａ）に示す、有効期間の開始日時設定画面を液晶モニタ１８に表示させる。
【００４７】
ＭＰＵ５０は、開始日時設定画面に表示する日時の初期値として、時計回路６８から取得した現在の日付／時刻を表示させる。また、「ＯＫ」ボタン１１２が最初から選択状態となっている。
【００４８】
従って、Ｓ１３２で設定したＩＳＯ感度を直ちに使用したい場合、ユーザは直ちにＳＥＴボタン６２を押下すれば、現在の日付／時刻が有効期間の開始日時がに設定され、設置したＩＳＯ感度は直ちに有効になる。一方、ユーザが開始日時を変更したい場合には、電子ダイヤル６１を操作して所望の日時に変更してからＳＥＴボタン６２を押下する。この変更方法は、終了日時の設定操作と共通するため、後で詳述する。ＭＰＵ５０は、ＳＥＴボタン６２が押下されたことを検出すると、その時点で表示されていた日時を有効期間の開始日時としてＥＥＰＲＯＭ５２若しくはＳＤＲＡＭ７３に記憶する（Ｓ１３３）。
【００４９】
Ｓ１３３で有効期間の開始日時が設定されると、ＭＰＵ５０は、有効期間の終了日時設定画面を液晶モニタ１８に表示させる（Ｓ１３４）。
終了日時設定画面の例を図１３（ｂ）に示す。開始日時設定画面と同様、初期値として現在時刻が表示されるとともに、もう一つ「連続」という選択肢が含まれている。
【００５０】
終了日時設定画面において、電子ダイヤル６１が操作されると、ＭＰＵ５０は画面中のフォーカスを年／月／日／時／分、連続、ＯＫの順（若しくはその逆順に）移動させる。フォーカスが「連続」及び「ＯＫ」以外にある状態でＳＥＴボタン６２が押下されると、ＭＰＵ５０はフォーカスのある位置の値を電子ダイヤル６１で変更可能な状態にする。
【００５１】
従って、図１３（ｂ）に示す状態でＳＥＴボタン６２が押下されると、次にＳＥＴボタン６２が押下されるまで、電子ダイヤル６１の操作によって年の値が変化する。ＳＥＴボタン６２が押下されると、フォーカスが月に移動する。このような操作により、所望の終了日時を設定することができる。図１３（ｃ）は、フォーカスが「時」に移動した状態を示している。
【００５２】
終了日時設定画面において、「ＯＫ」が選択された状態でＳＥＴボタン６２が押下されたことを検出すると、ＭＰＵ５０は表示中の日時を有効期間の終了日時としてＥＥＰＲＯＭ５２若しくはＳＤＲＡＭ７３に記憶する。
【００５３】
なお、「連続」が選択された状態でＳＥＴボタン６２が押下されたことを検出した場合、ＭＰＵ５０は有効期間切れの無い（定常的な）感度設定であるとみなし、有効期間の終了日時を設定しない。あるいは、終了日時が無いことを意味する値を設定してもよい。
このように、設定された感度は、現在の設定感度とは別に、有効期間と対応付けて記憶される。
【００５４】
次に、本実施形態のＳＬＲカメラ１００における感度設定の監視処理について、図３に示すフローチャートを用いて説明する。
この監視処理は、例えば撮影モードで動作中に少なくとも定期的に実行することができる。また、他の動作モードから撮影モードに切り替えられた際にも実行することが望ましい。
【００５５】
Ｓ１０１において、ＭＰＵ５０は、ＥＥＰＲＯＭ５２又はＳＤＲＡＭ７３を参照し、有効期間が設定されている感度があるかどうか確認する。
有効期間が設定された感度があれば、ＭＰＵ５０はＳ１０１の処理を繰り返し行う。一方、有効期間が設定された感度がある場合、ＭＰＵ５０は時計回路６８から現在の時刻情報（日時）を取得する。そして、ＭＰＵ５０は現在日時を設定された有効期間と比較し、有効期間が設定された感度が有効か否かを判断する（Ｓ１０３）。
【００５６】
現在日時が有効期間内、すなわち開始日時≦現在日時＜終了日時であれば、ＭＰＵ５０は、有効期間が設定された感度が現在の設定感度と等しいかどうか判別する（Ｓ１０５）。
【００５７】
有効期間が設定された感度が現在の設定感度と等しい場合、ＭＰＵ５０は現在の設定感度を変更せずにＳ１０９に処理を移す。有効期間が設定された感度が現在の設定感度と異なる場合、ＭＰＵ５０はＳ１０７で、現在の設定感度を有効期間が設定された感度に変更する。この際、液晶モニタ１８にメッセージを表示するなどして、ユーザに感度設定が変更されたことを通知するようにしても良い。
【００５８】
Ｓ１０９でＭＰＵ５０は、有効期間の終了日時と現在日時を比較し、有効期間が過ぎていないかどうかを確認する。現在日時が終了日時に達している場合には、期限切れ処理を行なう（Ｓ１１１）。期限切れ処理の詳細は後述する。現在日時が終了日時に達していない場合は、Ｓ１０９の処理を繰り返し行う。
期限切れ処理が終了すると、ＭＰＵ５０は処理をＳ１０１に戻して上述の処理を繰り返す。
【００５９】
図５は、図３のＳ１１１における期限切れ処理の詳細を説明するフローチャートである。
Ｓ１６１で、ＭＰＵ５０は、有効期間が経過したことを、液晶モニタ１８やＬＣＤ１６、不図示の情報表示ＬＣＤ等にメッセージ表示等することで、ユーザに通知する。図１４は液晶モニタ１８を用いた警告表示の一例である。
【００６０】
ここでは、少なくとも現在設定されている感度をユーザに通知することで、ユーザに警告するとともに、設定値の確認を求める警告画面の例を示している。ユーザは、この警告画面により、現在の設定値を再確認できるとともに、必要であれば感度設定処理へ移行することができる。なお、警告画面において、有効期間、特に終了日時が設定された感度の有効期間が経過したことを明示するようにしてもよい。
【００６１】
Ｓ１６２でＭＰＵ５０は、警告画面を介した指示入力（ＳＥＴボタン６２の押下）を待つ。感度設定処理の実行が指示された場合、ＭＰＵ５０は、図４で説明した感度設定処理を行い（Ｓ１６３）、処理を終了する。一方、キャンセルが指示された場合、ＭＰＵ５０は設定感度を変更せずに処理を終了する。
【００６２】
なお、上述の説明では、有効期間の開始日時を設定するものとしたが、開始日時は感度設定処理の終了時として、入力を省略しても良い。この場合、図３の監視処理におけるＳ１０３〜Ｓ１０７の処理は不要となる。
【００６３】
また、有効期間の指定方法として、開始日時と終了日時といった特定の日時を指定する代わりに、有効時間（例えば１時間、３０分等）を指定することもできる。この場合、有効時間の起点として、例えば感度設定処理の終了時の日時を記憶し、終了日時を設定する代わりに、有効時間を日／時／分で設定するように構成すればよい。そして、記憶した起点の日時と有効時間とから終了日時を算出することで、図３の監視処理を適用することができる。
【００６４】
さらに、常用する感度（基本感度）を別途ユーザに設定させておき、基本感度と異なる感度が設定された場合には、自動的に所定の有効時間（例えば１時間）を設定するように構成しても良い。そうすることにより、ユーザは従来と同様の感度設定操作を行うだけで、有効時間経過後に警告されるので、有効期間を指定する手間を省きながら、かつ変更した感度の戻し忘れを防止できる。
【００６５】
この場合、警告画面においてキャンセル指示があり、基本感度と異なる感度の設定が維持されたとしても、その後適当なタイミングでユーザに確認することが可能である。例えば、次回の電源投入時、あるいは他の動作モードへ移行した後に再度撮影モードとなった時点で、基本感度と設定感度が異なることが検出されたならば、警告画面を表示するように構成すればよい。あるいは、電源がＯＦＦされた場合や他の動作モードへ移行した際に、自動的に基本感度へ戻すようにしても良い。
【００６６】
また、監視処理のＳ１０７において感度の変更を行う前に、本当に変更を行うか否かユーザに問い合わせ、確認がとれたならば感度を変更するように構成してもよい。
【００６７】
以上説明したように、本実施形態によれば、感度設定時に有効期間を指定できるようにし、有効期間を過ぎた際にはユーザに報知するようにしたので、一時的に感度を変更した場合に元に戻し忘れることを防止できる。
【００６８】
（第２の実施形態）
次に、本発明の第２の実施形態について説明する。本実施形態に係る撮像装置は、感度設定処理と期限切れ処理の内容を除き第１の実施形態と共通でよいため、第１の実施形態で既に説明した構成や動作については説明を省略する。
【００６９】
図６は、本実施形態のＳＬＲカメラにおける感度設定処理を説明するフローチャートであり、図４と共通のステップには同じ参照数字を付し、説明を省略する。
本実施形態では、有効期間の終了日時設定後に、復帰感度の設定処理ステップＳ１３５が付加されている点が第１の実施形態と異なる。
【００７０】
Ｓ１３５でＭＰＵ５０は、有効期間後に復帰させたい感度をユーザに設定させる復帰感度設定画面を液晶モニタ１８に提示する。この復帰感度設定画面は、図１２に示した感度設定画面と同内容であって良い。
【００７１】
ＭＰＵ５０は、設定された復帰感度を、Ｓ１３２で設定された感度、有効期間情報（終了日時、開始及び終了日時、開始日時及び有効時間、など）と関連付けてＥＥＰＲＯＭ５２又はＳＤＲＡＭ７３に記憶する。
監視処理は第１の実施形態と共通でよい。
【００７２】
図７は、本実施形態における期限切れ処理の詳細を示すフローチャートである。
有効期間が設定された感度の有効期間が切れると、ＭＰＵ５０は関連付けられた復帰感度をＥＥＰＲＯＭ５２又はＳＤＲＡＭ７３から読み出す。そして、ＭＰＵ５０はこの復帰感度を自動設定する（Ｓ２６１）。
【００７３】
なお、ここでは感度設定時に復帰感度をユーザに設定させるようにした場合を説明したが、常用する感度（基本感度）を別途ユーザに設定させておき、有効期間経過後には自動的に基本感度に設定を変更するように構成することもできる。
この場合、感度設定処理は第１の実施形態と共通となり、期限切れ処理において復帰感度の代わりに基本感度へ自動設定を行う。
【００７４】
さらに、基本感度が設定されている場合に、感度設定処理によって基本感度と異なる感度が設定された場合には、自動的に所定の有効時間（例えば１時間）を設定するように構成しても良い。そうすることにより、ユーザは従来と同様の感度設定操作を行うだけで、有効時間経過後には自動的に基本感度へ戻されるので、有効期間を指定する手間を省きながら、かつ変更した感度の戻し忘れを防止できる。
【００７５】
このように、本実施形態では、有効期間が経過した後に復帰すべき感度を設定できるようにした。そのため、有効期間が経過した際に再度感度設定する手間を省きながら、感度設定の戻し忘れを防止できる。
【００７６】
（第３の実施形態）
次に、本発明の第３の実施形態について説明する。本実施形態に係る撮像装置は、感度設定処理及び期限切れ処理の内容を除き第１の実施形態と共通でよいため、第１の実施形態で既に説明した構成や動作については説明を省略する。
図８は、本実施形態のＳＬＲカメラにおける感度設定処理を説明するフローチャートであり、図４と共通のステップには同じ参照数字を付し、説明を省略する。
【００７７】
本実施形態では、ＭＰＵ５０が、Ｓ１３１においてＩＳＯ感度ボタン６３のＯＮを検出した際に、ＩＳＯ感度を自動設定するモード（ＩＳＯ感度自動モード）が設定されているかどうかを判別する（Ｓ１３７）。そして、ＭＰＵ５０は、ＩＳＯ感度自動モードが設定されていれば解除し、自動モードを解除したことを示す解除情報、例えばフラグをＥＥＰＲＯＭ５２又はＳＤＲＡＭ７３に記憶する（Ｓ１３８）。それ以外は図４と共通である。
【００７８】
図９は、本実施形態のＳＬＲカメラにおける期限切れ処理を説明するフローチャートである。
ＭＰＵ５０は、感度設定処理で設定されたＩＳＯ感度の有効期間が経過した場合、解除情報の有無を確認し（Ｓ３６０）、解除情報があればＩＳＯ感度自動モードに復帰させる（Ｓ３６１）。解除情報が無ければ、第１の実施形態と同様の期限切れ処理を実行するため、Ｓ１６１へ処理を移行させる。
【００７９】
このように、本実施形態によれば、ＩＳＯ感度自動モードが設定されている際に感度設定指示があった場合には、ＩＳＯ感度自動モードを一時的に解除する。そして、設定された感度の有効期間が経過した場合にはＩＳＯ感度自動モードへ復帰させる。そのため、ＩＳＯ感度自動モードによる手振れ防止効果を十分活用しながら、一時的な感度変更にも対応することができる。
【００８０】
（第４の実施形態）
第３の実施形態においては、ＩＳＯ感度自動モードが設定されている際に感度設定指示があった場合には、ＩＳＯ感度自動モードを一時的に解除していた。しかし、ＩＳＯ感度自動モードを解除せずに、設定された感度の有効期間内では、設定された感度を上限としたＩＳＯ感度自動モードを実行し、有効期間が経過した後は、ＩＳＯ感度自動モードにおける感度の上限値を解除するように構成しても良い。
【００８１】
この場合、図８のＳ１３７，Ｓ１３８の処理を感度設定処理（Ｓ１３２）の後で実行すると共に、Ｓ１３２Ｓ１３８において、ＩＳＯ感度自動モードの解除の代わりに、ＩＳＯ感度自動モードにおける感度上限値を設定する。
【００８２】
本実施形態によれば、ＩＳＯ感度自動モードが設定されている場合には、その効果をできるだけ活用しつつ、ユーザの意志に応じた感度調整を可能とする。また、ユーザが感度設定を元に戻し忘れ、本来のＩＳＯ感度自動モードの効果が得られなくなることを防止できる。
【００８３】
（第５の実施形態）
次に、本発明の第５の実施形態について説明する。本実施形態に係る撮像装置は、ＩＳＯ感度自動モードの動作を除き第１の実施形態と共通でよいため、第１の実施形態で既に説明した構成や動作については説明を省略する。本実施形態は、有効期間が設定された感度設定の状態や日時情報に応じてＩＳＯ感度自動モードの動作を変更することを特徴とする。
【００８４】
図１０は、本実施形態のＳＬＲカメラにおけるＩＳＯ感度自動モードの動作を説明するフローチャートである。この動作は、例えばＩＳＯ感度自動モードが設定されている状態の自動露出制御処理の一部として実行される。従って、少なくとも絞りとシャッタースピードのうち、いずれか一方について自動設定するような動作モードが設定されているものとする。上述のように、自動露出制御（ＡＥ）処理は、レリーズボタン６０が半押しされ、ＳＷ１がＯＮとなった時点で開始される。
【００８５】
まず、ＭＰＵ５０は、例えばＥＥＰＲＯＭ５２やＳＤＲＡＭ７３を参照し、ユーザによって有効期間の設定された感度が設定されているかどうかを調べる（Ｓ５０１）。設定が存在する場合、ＭＰＵ５０は、その感度設定の有効期間中であるかを、図３のＳ１０３と同様にして判定する（Ｓ５０３）。
【００８６】
ここで、有効期間中であると判定される場合、ＭＰＵ５０は、一時的にＩＳＯ感度自動モードを無効にし、ユーザが設定した感度を用いた自動露出制御を実行する（Ｓ５０５）。
【００８７】
一方、Ｓ５０１において、有効期間の設定された感度設定が存在しない場合と、Ｓ５０３において、有効期間の設定された感度設定が存在するが、その有効期間が経過している場合、ＭＰＵ５０は現在の日時情報を時計回路６８から取得する（Ｓ５０７）。
【００８８】
そして、ＭＰＵ５０は、取得した現在の日時情報に応じて自動感度設定における初期感度を設定する（Ｓ５０９）。
具体的には、例えば現在時刻が日中（例えば７：００〜１８：００）であればＩＳＯ感度１００を、夜間（例えば１８：００〜７：００）であればＩＳＯ感度８００を初期感度として設定する。もちろんこれは一例であり、他の時刻区分を導入しても良いし、区分を３つ以上として、より細かい設定を行っても良い。また、例えば、冬の期間であれば夜間区分を前後に伸ばすといったように、日付を考慮して、時刻区分を変更しても良い。
その後、ＭＰＵ５０はＩＳＯ感度自動モードにおける通常の露出決定動作を行う（Ｓ５１１）。
【００８９】
図１１は、図１０におけるＳ５１１で行う露出パラメータ決定動作の例を示すフローチャートである。この時点において、オートフォーカス制御により、被写体の焦点検出が行われているものとする。
【００９０】
Ｓ４１０で、ＭＰＵ５０は、レンズ制御回路５３を通じて、マウント２に装着された撮影レンズ３から、焦点距離等のレンズに関する各種情報を取得する。
Ｓ４１１で、ＭＰＵ５０は、手ブレ限界シャッタースピード（Ｔｖ）を計算する。例えば、計算式は手ブレ限界Ｔｖ＝１／（撮影レンズ３の焦点距離）とする。
【００９１】
Ｓ４１２で、ＭＰＵ５０は、図１０の処理において設定された初期ＩＳＯ感度、撮影レンズ３の開放ｆ値及び被写体輝度から、適正露出で撮影するためのシャッタースピード（撮影Ｔｖ）を計算する。
【００９２】
Ｓ４１３で、ＭＰＵ５０は、Ｓ４１２で計算した撮影Ｔｖが、Ｓ４１１で計算した手ブレ限界Ｔｖ以上か否かを判定する。そして、ＭＰＵ５０は、撮影Ｔｖが手ブレ限界Ｔｖよりも遅い場合はＳ４１４へ進み、手ブレ限界Ｔｖ以上の撮影Ｔｖである場合はＳ４１６へ処理を進める。
Ｓ４１４で、ＭＰＵ５０は、撮影Ｔｖと手ブレ限界Ｔｖの段数差を演算する。
【００９３】
Ｓ４１５で、ＭＰＵ５０は、演算の結果得られた段数差に応じて、設定されている初期ＩＳＯ感度を上昇させ、撮影Ｔｖが手ブレ限界Ｔｖ以上となるように設定する。また、この際、絞り（Ａｖ）が開放値から所定段数絞り込まれるよう、さらにＩＳＯ感度を上昇させても良い。ＭＰＵ５０は、このようにして設定したＴｖやＡｖを、表示駆動回路５８を通じてＬＣＤ１６に表示させる。
このようにして、ＭＰＵ５０は、ＩＳＯ感度自動モードにおける自動露出制御処理を行う。
【００９４】
この後、レリーズボタン６０が全押しされ、ＳＷ２がＯＮすると、上述の処理で設定した撮影条件（絞り、シャッタースピード及びＩＳＯ感度）に従って、撮影動作を行う。
【００９５】
なお、上述の例では、有効期間の設定された感度設定が存在し、かつ有効期間中である場合、一時的にＩＳＯ感度自動モードを無効とし、ユーザの設定した感度を採用した自動露出制御を行うものとして説明した。しかし、有効期間の設定された感度の有効期間中には、その感度を上限としたＩＳＯ感度設定を行うようにしてもよい。
【００９６】
以上説明したように、本実施形態によれば、有効期間の設定された感度設定の有無や有効／無効の状態、あるいは日時情報に応じてＩＳＯ感度自動モードの動作を変更する。そのため、ユーザの意図を尊重しながら、ユーザが特に意識しなくてもＩＳＯ感度自動モードの利点を活かすことが可能となる。
【図面の簡単な説明】
【００９７】
【図１】本発明の実施形態に係る撮像装置の一例としてのデジタル一眼レフカメラの機械的な構成例を示す概略断面図である。
【図２】本発明の実施形態に係るデジタル一眼レフカメラの電気的な構成例を示すブロック図である。
【図３】本発明の第１の実施形態に係るデジタル一眼レフカメラにおける、感度設定の監視処理を説明するフローチャートである。
【図４】本発明の第１の実施形態に係るデジタル一眼レフカメラにおける感度設定処理を説明するフローチャートである。
【図５】本発明の第１の実施形態に係るデジタル一眼レフカメラにおける期限切れ処理の詳細を説明するフローチャートである。
【図６】本発明の第２の実施形態に係るデジタル一眼レフカメラにおける感度設定処理を説明するフローチャートである。
【図７】本発明の第２の実施形態に係るデジタル一眼レフカメラにおける期限切れ処理の詳細を説明するフローチャートである。
【図８】本発明の第３の実施形態に係るデジタル一眼レフカメラにおける感度設定処理を説明するフローチャートである。
【図９】本発明の第３の実施形態に係るデジタル一眼レフカメラにおける期限切れ処理の詳細を説明するフローチャートである。
【図１０】本発明の第５の実施形態に係るデジタル一眼レフカメラにおけるＩＳＯ感度自動モードの動作を説明するフローチャートである。
【図１１】本発明の第５の実施形態に係るデジタル一眼レフカメラにおける露出パラメータ決定動作の例を示すフローチャートである。
【図１２】本発明の実施形態に係るデジタル一眼レフカメラが表示するＩＳＯ感度設定画面の例を示す図である。
【図１３】本発明の実施形態に係るデジタル一眼レフカメラが表示する、有効期間設定画面の例を示す図である。
【図１４】本発明の実施形態に係るデジタル一眼レフカメラが表示する警告表示画面例を示す図である。
【図１】
2008294972.tif 000003
【図２】
2008294972.tif 000004
【図３】
2008294972.tif 000005
【図４】
2008294972.tif 000006
【図５】
2008294972.tif 000007
【図６】
2008294972.tif 000008
【図７】
2008294972.tif 000009
【図８】
2008294972.tif 000010
【図９】
2008294972.tif 000011
【図１０】
2008294972.tif 000012
【図１１】
2008294972.tif 000013
【図１２】
2008294972.tif 000014
【図１３】
2008294972.tif 000015
【図１４】
2008294972.tif 000016